(57)【要約】【課題】取水口からの漏水を防止できる冷水器を備えた冷蔵庫を提供する。【解決手段】貯蔵室３内に配されて底面に給水口１４ａが設けられる水タンク１３と、貯蔵室３を開閉する扉３ａの前面に設けられるとともに給水口１４ａに連結される取水口３０ａを介して水タンク１３内の水を取水する取水部１１とを有する冷水器１０を備えた冷蔵庫１において、給水口１４ａと取水口３０ａとの間の給水経路を開閉する止水弁２５、３１、３２、３３と、水タンク１３の底面に凹設して給水口１４ａを開口する凹部１４ｂと、凹部１４ｂに着脱自在に嵌合するとともにメッシュ状のメッシュ部２０ａを有した濾過部材２０とを設けた。【選択図】図５
2011012835.tif 000002
【特許請求の範囲】
【請求項１】
貯蔵室内に配されて底面に給水口が設けられる水タンクと、前記貯蔵室を開閉する扉の前面に設けられるとともに前記給水口に連結される取水口を介して前記水タンク内の水を取水する取水部とを有する冷水器を備えた冷蔵庫において、前記給水口と前記取水口との間の給水経路を開閉する止水弁と、前記水タンクの底面に凹設して前記給水口を開口する凹部と、前記凹部に着脱自在に嵌合するとともにメッシュ状のメッシュ部を有した濾過部材とを設けたことを特徴とする冷蔵庫。
【請求項２】
前記止水弁は、上部に対して縮径した縮径部を下部に有するスリーブと、前記縮径部に軸方向の移動可能に内嵌して前記縮径部の内面との間に軸方向の通路を形成するとともに前記縮径部の上方に鍔部を有するバルブと、前記縮径部の上端面と前記鍔部の下面との間に配されるＯリングとを有することを特徴とする請求項１に記載の冷蔵庫。
【請求項３】
前記メッシュ部の中央部が周縁よりも低いことを特徴とする請求項１または請求項２に記載の冷蔵庫。
【請求項４】
前記濾過部材は使用者の手指で摘持されるツマミ部を上面に有し、前記メッシュ部の周縁からの前記ツマミ部の突出量が前記凹部の深さよりも小さいことを特徴とする請求項１〜請求項３のいずれかに記載の冷蔵庫。
【請求項５】
前記給水口が前記凹部の左右方向の中央部であって前後方向の一方に偏って開口し、前記ツマミ部を前後方向に延びて形成したことを特徴とする請求項４に記載の冷蔵庫。
【請求項６】
前記濾過部材の比重が水よりも大きいことを特徴とする請求項１〜請求項５のいずれかに記載の冷蔵庫。
【発明の詳細な説明】
【技術分野】
【０００１】
本発明は、冷水器を備えた冷蔵庫に関する。
【背景技術】
【０００２】
従来の冷蔵庫は特許文献１に開示されている。この冷蔵庫は貯蔵室を開閉する扉の前面から取水する冷水器を備えている。冷水器は扉の背面上部に配される水タンクと扉の前面に凹設される取水部とを有し、取水部の上部に設けられる取水口が扉を貫通する給水経路により水タンクの給水口に連結されている。
【０００３】
給水経路には取水口を開閉する止水弁が設けられる。止水弁はレバーの回動によって上下移動するバルブを有している。バルブは下方に付勢され、下端面には取水口の周囲に密接するシール部材が設けられる。
【０００４】
水タンクに注水して扉を閉じると水タンク内の水が冷却される。使用者が取水口の下方にコップ等の容器を設置してレバーを押圧するとレバーが回動してバルブが上昇し、シール部材が取水口から離れて止水弁が開かれる。これにより、取水口を介して水タンク内の冷水を容器内に取水することができる。そして、容器をレバーから離すと止水弁が閉じられる。
【先行技術文献】
【特許文献】
【０００５】
【特許文献１】特開２００５−１１４２８８号公報（第３頁−第６頁、第３図）
【発明の概要】
【発明が解決しようとする課題】
【０００６】
しかしながら、上記従来の冷蔵庫によると、水タンクの貯水に健康上支障のないゴミが混入する場合がある。この時、ゴミがシール部材と取水口の周囲との間に挟まって十分な止水を行うことができず、取水口から漏水する問題があった。
【０００７】
本発明は、取水口からの漏水を防止できる冷水器を備えた冷蔵庫を提供することを目的とする。
【課題を解決するための手段】
【０００８】
上記目的を達成するために本発明は、貯蔵室内に配されて底面に給水口が設けられる水タンクと、前記貯蔵室を開閉する扉の前面に設けられるとともに前記給水口に連結される取水口を介して前記水タンク内の水を取水する取水部とを有する冷水器を備えた冷蔵庫において、前記給水口と前記取水口との間の給水経路を開閉する止水弁と、前記水タンクの底面に凹設して前記給水口を開口する凹部と、前記凹部に着脱自在に嵌合するとともにメッシュ状のメッシュ部を有した濾過部材とを設けたことを特徴としている。
【０００９】
この構成によると、水タンク内に注水して扉が閉じられると水タンク内の水が冷却される。取水部にコップ等の容器を配して所定の操作により止水弁を開くと取水口から水タンク内の冷水が取水される。この時、水タンク内の水は水タンクの凹部に嵌合した濾過部材のメッシュ部で濾過され、貯水内のゴミが捕集される。濾過部材を凹部から取り外して濾過部材や凹部の清掃を行うことができる。
【００１０】
また本発明は、上記構成の冷蔵庫において、前記止水弁は、上部に対して縮径した縮径部を下部に有するスリーブと、前記縮径部に軸方向の移動可能に内嵌して前記縮径部の内面との間に軸方向の通路を形成するとともに上部に鍔部を有するバルブと、前記縮径部の上端面と前記鍔部の下面との間に配されるＯリングとを有することを特徴としている。
【００１１】
この構成によると、バルブが下降するとＯリングが縮径部の上端面と鍔部の下面とに密接し、給水経路が止水される。バルブが上昇すると縮径部の上端面と鍔部の下面との間が開き、縮径部の内部の通路を介して取水口に水が導かれる。
【００１２】
また本発明は、上記構成の冷蔵庫において、前記メッシュ部の中央部が周縁よりも低いことを特徴としている。この構成によると、メッシュ部の中央部にゴミが溜まる。
【００１３】
また本発明は、上記構成の冷蔵庫において、前記濾過部材は使用者の手指で摘持されるツマミ部を上面に有し、前記メッシュ部の周縁からの前記ツマミ部の突出量が前記凹部の深さよりも小さいことを特徴としている。この構成によると、ツマミ部を摘持して濾過部材が着脱される。また、濾過部材を裏返しに凹部に設置した際に、ツマミ部が凹部の底面に当接した位置でメッシュ部の周縁が凹部の内壁に嵌合する。
【００１４】
また本発明は、上記構成の冷蔵庫において、前記給水口が前記凹部の左右方向の中央部であって前後方向の一方に偏って開口し、前記ツマミ部を前後方向に延びて形成したことを特徴としている。
【００１５】
この構成によると、給水口は凹部の左右の中央部で例えば前方に偏って配される。凹部に左右方向及び前後方向から流入する水は前方に偏る給水口よりも後方の水量が前方の水量よりも多くなる。これにより、凹部内で生じた後方から前方に向かう水流が波及して水タンク内に後方から前方に向かう水流が形成される。ツマミ部は前後に延びるため水タンク内の水流を案内して乱流を抑制し、均一な給水を行うことができる。
【００１６】
また本発明は、上記構成の冷蔵庫において、前記濾過部材の比重が水よりも大きいことを特徴としている。この構成によると、濾過部材はポリカーボネートやＦＲＰ等により形成され、貯水中の浮揚が防止される。
【発明の効果】
【００１７】
本発明によると、水タンクの底面に凹設した凹部に着脱自在に嵌合してメッシュ状のメッシュ部を有した濾過部材を設けたので、凹部により濾過部材の取付位置を固定して濾過部材により貯水内のゴミを捕集することができる。これにより、止水弁のシール性を損なうゴミを給水口から流出させず、止水弁を確実に閉じて取水口からの漏水を防止することができる。また、濾過部材を脱着して濾過部材や凹部の清掃を行うことができ、水タンクを清潔に保持することができる。
【図面の簡単な説明】
【００１８】
【図１】本発明の実施形態の冷蔵庫を示す正面図
【図２】本発明の実施形態の冷蔵庫の扉を開いた状態を示す斜視図
【図３】本発明の実施形態の冷蔵庫の冷水器の水タンクを示す分解斜視図
【図４】本発明の実施形態の冷蔵庫の冷水器の水タンクの注水口部分の側面断面図
【図５】本発明の実施形態の冷蔵庫の冷水器の水タンクの給水口部分の側面断面図
【図６】本発明の実施形態の冷蔵庫の冷水器の水タンクの濾過部材を示す上面図
【図７】図６のＹ−Ｙ断面図
【図８】本発明の実施形態の冷蔵庫の冷水器の水タンクの給水口部分の側面断面図
【図９】本発明の実施形態の冷蔵庫の扉の要部を示す側面断面図
【図１０】本発明の実施形態の冷蔵庫の冷水器の取水部を示す側面断面図
【図１１】本発明の実施形態の冷蔵庫の冷水器の取水部の底部を示す側面断面図
【図１２】本発明の実施形態の冷蔵庫の冷水器の水受皿の脱着状態を示す側面断面図
【図１３】本発明の実施形態の冷蔵庫の冷水器の取水部の取水時の状態を示す側面断面図
【発明を実施するための形態】
【００１９】
以下に本発明の実施形態を図面を参照して説明する。図１は一実施形態の冷蔵庫を示す正面図である。冷蔵庫１は上部に冷凍室２が配され、冷凍室２の下方に冷蔵室３が配される。冷凍室２及び冷蔵室３の前面はそれぞれ左右方向の一端で枢支される扉２ａ、３ａにより開閉される。冷蔵室３の扉３ａの前面には冷水器１０の取水部１１が凹設される。
【００２０】
図２は冷蔵庫１の扉２ａ、３ａを開いた状態を示す斜視図である。冷蔵室３の扉３ａの背面側には複数のドアポケット４が設けられ、上段には冷水器１０の水タンク１３が配される。
【００２１】
図３、図４は水タンク１３の分解斜視図及び注水口１７部分の側面断面図を示している。水タンク１３は上面を開口して水を貯水する貯水部１４と、パッキン１６を介して貯水部１４の上面を覆う着脱自在の蓋部１５とを有している。蓋部１５を脱着して貯水部１４の清掃を行うことができる。
【００２２】
蓋部１５の左右方向の中央部には冷蔵室３の内部側に偏って上方に突出する突出部１５ａが設けられる。突出部１５ａは奥側（扉３ａ側）が高く手前側（冷蔵室３側）が低く形成され、突出部１５ａの上面は冷蔵室３側が下がる傾斜面１５ｂに形成される。突出部１５ａに開口する注水口１７は上部が広く下部が狭い漏斗状に形成され、注水口１７を介して貯水部１４内に注水される。
【００２３】
突出部１５ａには注水口１７を開閉する開閉部材１８が取り付けられる。突出部１５ａの奥側及び手前側の面には左右方向に延びる溝部１５ｃが形成される。開閉部材１８は突出部１５ａに沿った断面アーチ状に形成され、奥側の壁面が手前側よりも高くなっている。
【００２４】
開閉部材１８の内面には溝部１５ｃに係合する突起部１８ａが前後の内面のそれぞれ左右端に前後方向に突出して設けられる。溝部１５ｃに突起部１８ａが係合して開閉部材１８が左右にスライド自在に設けられる。この時、開閉部材１８は注水口１７を閉じる位置が開く位置よりも扉３ａの枢支側から離れるようにスライドする。
【００２５】
開閉部材１８がスライド移動するため、閉じ忘れた際に冷蔵室３の上壁３ｆ（図９参照）との衝突を回避することができる。加えて、突出部１５ａによって水タンク１３の上面と冷蔵室３の上壁３ｆとが近接し、水タンク１３上の塵埃の堆積を低減することができる。
【００２６】
更に、回動する扉３ａの遠心力が開閉部材１８を閉じる方向に加わる。このため、注水口１７の開閉を繰り返して摩耗により開閉部材１８と蓋部１５との嵌合が緩くなっても、開閉部材１８の開成が防止される。従って、扉３ａを開閉した際の注水口１７からの漏水を防止し、長期信頼性の高い冷蔵庫１が得られる。
【００２７】
注水口１７は傾斜面１５ｂに形成されて上部を広く開口するので、容易に注水することができる。また、注水口１７の下部の開口面積を狭くしたので、開閉部材１８を閉じ忘れた際に貯水部１４からの水の飛び出しを低減することができる。
【００２８】
また、冷蔵室３の内部に突出する水タンク１３の上面が傾斜面１５ｂによって冷蔵室３側が下がる。これにより、注水口１７の開口面は水タンク１３に向かって手前側（冷蔵室３側）が低く奥側（扉３ａ側）が高いので、注水口１７の奥側へ水がこぼれにくく更に容易に注水することができる。加えて、水タンク１３の組立て装着時に水タンク１３の寸法ばらつきによる水タンク１３と冷蔵室３の上壁３ｆ（図９参照）との衝突を回避することができる。
【００２９】
突出部１５ａには注水口１７から離れた位置で溝部１５ｃよりも浅い縦溝１５ｄが溝部１５ｃに連続して突起部１８ａと同じ間隔で形成される。このため、縦溝１５ｄの位置で溝部１５ｃと突起部１８ａとの係合深さが注水口１７を閉じた位置よりも浅くなる。
【００３０】
開閉部材１８の着脱持には縦溝１５ｄの位置に突起部１８ａが配される。そして、開閉部材１８の奥側の壁面に手指を配して手前側の突起部１８ａを中心に奥側の突起部１８ａを縦溝１５ｄに沿って回動させる。これにより、開閉部材１８を簡単に着脱することができる。このため、水タンク１３の組立てを容易にできるとともに開閉部材１８の清掃を行うことができる。
【００３１】
貯水部１４の底面には給水口１４ａ（図５参照）を開口する凹部１４ｂが形成される。図５は水タンク１３の給水口１４ａを通る側面断面図を示している。給水口１４ａは後述する取水口３０ａに連結され、凹部１４ｂの底面の左右方向の中央部であって手前側（冷蔵室３側）に偏った位置に開口する。
【００３２】
凹部１４ｂ内には着脱自在の濾過部材２０が配される。図６は濾過部材２０の上面図を示し、図７は図６のＹ−Ｙ断面図を示している。濾過部材２０は多数の開口２０ｂを有したメッシュ状のメッシュ部２０ａを有している。メッシュ部２０ａによって給水口１４ａから流出する水に含まれるゴミが捕集される。メッシュ部２０ａは中央部が周縁よりも低く形成される。これにより、メッシュ部２０ａ上にゴミが溜まり、濾過部材２０を脱着して容易にゴミを廃棄することができる。
【００３３】
メッシュ部２０ａの開口２０ｂは後述する止水弁（２５、３１、３２、３３）に挟まるゴミを除去するため、直径が約１ｍｍ以下であると望ましい。直径が約１ｍｍよりも小さい開口２０ｂを通過するゴミは水の流れによって止水弁に留まらずに流出するため支障はない。本実施形態では開口２０ｂを一辺が０．８ｍｍの正方形に形成している。
【００３４】
メッシュ部２０ａの周縁には突起部２０ｄが形成される。メッシュ部２０ａの上面には使用者が摘持するツマミ部２０ｃが突設され、下面には脚部２０ｅが突設される。濾過部材２０はツマミ部２０ｃを摘持して着脱される。濾過部材２０は装着時に突起部２０ｄが凹部１４ｂの内周壁に摺接して凹部１４ｂ内に圧入され、脚部２０ｅが凹部１４ｂの底面に当接して設置される。尚、突起部２０ｄの突出量は開口２０ｂよりも小さいことが望ましく、本実施形態では０．５ｍｍにしている。
【００３５】
突起部２０ｄと凹部１４ｂの内周壁との摩擦力によって濾過部材２０の貯水部１４内の浮揚が防止される。凹部１４ｂの内周壁は凹部１４ｂの下部を上部よりも狭くするように傾斜してもよい。また、濾過部材２０はポリカーボネートやＦＲＰ等の水よりも比重の大きい樹脂成形品や金属により形成される。これにより、突起部２０ｄが摩耗しても濾過部材２０の貯水部１４内の浮揚を確実に防止することができる。
【００３６】
ツマミ部２０ｃは薄板状のリブから成り、前後方向に延びて形成される。ツマミ部２０ｃの向きを誤って設置させないように、凹部１４ｂの開口面及びメッシュ部２０ａは左右に対して前後に長い長方形に形成される。
【００３７】
貯水部１４内で凹部１４ｂに左右方向及び前後方向から流入する水は手前側に偏る給水口１４ａよりも奥側の水量が手前側の水量よりも多くなる。これにより、凹部１４ｂ内で生じた奥側から手前側に向かう水流が波及して水タンク１３内に奥側から手前側に向かう水流が形成される。ツマミ部２０ｃは前後に延びるため水タンク１３内の水流を案内して乱流を抑制し、均一な給水を行うことができる。
【００３８】
また、ツマミ部２０ｃはメッシュ部２０ａの周縁からの突出量Ｈが凹部１４ｂの深さｄ（図８参照）よりも小さく形成される。これにより、図８に示すように、誤って濾過部材２０を裏返しに設置した際に、ツマミ部２０ｃが凹部１４ｂの底面に当接してメッシュ部２０ａが凹部１４ｂの開口面よりも下方に配される。このため、ゴミの流出を防止することができる。
【００３９】
図９は扉３ａの要部を示す側面断面図である。扉３ａは前面に配される装飾板３ｂと背面に配される背面板３ｃとの間に発泡断熱材３ｄを充填して形成される。冷水器１０の取水部１１は前面を開口した樹脂成形品の箱状の枠部２１により外枠が形成される。枠部２１を装飾板３ｂに設けた開口に配した状態で発泡断熱材３ｄを充填することにより、枠部２１が固定される。
【００４０】
取水部１１の上部には取水口３０ａを開口するノズル３０が設けられる。ノズル３０はバルブ保持部２４により保持されるバルブ３２の先端に配され、後述するアーム３５（図１０参照）により支持される。バルブ保持部２４は後方に突出して扉３ａを貫通するパイプ部２４ａが設けられる。水タンク１３の給水口１４ａとパイプ部２４ａとが給水パイプ１２により接続され、水タンク１３が取水口３０ａに連結される。
【００４１】
また、扉３ａの背面には給水パイプ１２を覆うパイプカバー１９が設けられる。パイプカバー１９によって給水パイプ１２を隠蔽して冷蔵室３内の美感を向上するとともに、冷蔵室３内から取り出される食品の衝突による給水パイプ１２の脱落を防止する。
【００４２】
図１０は冷水器１０の取水部１１の詳細を示す側面断面図である。枠部２１の前面には樹脂成形品から成るフレーム２２が係合爪（不図示）による係合によって固定される。フレーム２２によって取水部１１の背壁１１ｂが形成される。フレーム２２の上部は開口してレバー保持部２３が枠部２１にネジ止めされる。レバー保持部２３は軸部３４ａを上部に有したレバー３４を枢支する。レバー３４は後述するように下方に延びて押圧により回動する。枠部２１及びフレーム２２の左右方向の中央には後方に回動したレバー３４との干渉を回避する凹部２１ｂ、２２ａが設けられる。
【００４３】
また、レバー保持部２３はレバー３４の軸部３４ａの上方でアーム３５を枢支する。アーム３５は後端が下方に屈曲した断面Ｌ字状に形成され、レバー３４の軸部３４ａよりも上部に後端面が当接する。アーム３５の前部は前方が開口する平面視コ字状に形成され、ノズル３０の周面に突設した係合突起（不図示）に係合する。
【００４４】
レバー保持部２３の上部にはバルブ保持部２４が前方からネジ止めされる。バルブ保持部２４の背面のパイプ部２４ａはレバー保持部２３及び枠部２１に設けた挿通孔２３ａ、２１ａに挿通され、前述したように扉３ａを貫通する。バルブ保持部２４の前部は下方に屈曲し、先端の開口面にＯリング２６を介してスリーブ２５が螺設される。
【００４５】
スリーブ２５の下部はバルブ保持部２４の下方で縮径された縮径部２５ａを有し、縮径部２５ａにバルブ３２が挿通される。バルブ３２は放射状のリブ（不図示）によって縮径部２５ａ内でリブ間に軸方向の通路を形成し、上端に拡径した鍔部３２ａが形成される。バルブ３２の上端面とバルブ保持部２４の内面との間には圧縮バネ３３が設けられ、バルブ３２が下方に付勢される。これにより、鍔部３２ａが縮径部２５ａの上端面にＯリング３１を介して当接し、水タンク１３からの水を止水する。
【００４６】
レバー３４の下部を後方に押圧するとレバー３４の上部に当接するアーム３５が図中、反時計回りに回動する。これにより、アーム３５に当接するノズル３０が圧縮バネ３３の付勢力に抗してバルブ３２とともに上方に押し上げられ、水タンク１３からの水がノズル３０の取水口３０ａから流出する。従って、スリーブ２５、バルブ３２、Ｏリング３１及び圧縮バネ３３は給水口１４ａと取水口３０ａとの間の給水経路を止水する止水弁を構成する。
【００４７】
ノズル３０の取水口３０ａの開口面は後方が下がるように傾斜する。このため、止水時にノズル３０等に残留した水は取水口３０ａの後端から滴下する。また、バルブ保持部２４を前方からネジを外してバルブ３２やノズル３０と一体に取り外すことができる。これにより、バルブ３２とスリーブ２５間のゴミの除去やＯリング２６、３１の交換を行うことができる。
【００４８】
取水部１１の前面上部にはフレーム２２に取り付けられる前面カバー２７が配される。前面カバー２７はバルブ保持部２４やノズル３０等の前面を覆うとともにノズル３０の下方を覆ってこれらを隠蔽し、取水部１１の美感を向上する。また、前面カバー２７の下面には取水口３０ａに対向する開口部２７ａが形成されている。
【００４９】
取水部１１の背壁１１ｂを形成するフレーム２２の背面部分は水平断面が円弧状で下方が前方に傾斜する傾斜面２２ｂを有している。傾斜面２２ｂは取水部１１の底部から上方に延びてノズル３０の近傍まで形成される。枠部２１は傾斜面２２ｂに沿って傾斜して形成される。このため、取水部１１の背面側の発泡断熱材３ｄの厚みを大きくすることができ、扉３ａの背面側の突出量を削減して断熱厚さを確保することができる。従って、冷蔵庫１の容積効率を向上することができる。
【００５０】
また、傾斜面２２ｂの下端及びレバー３４の下端は取水口３０ａの後端を通る鉛直線Ａよりも後方に配される。これにより、取水口３０ａの後端から滴下する水滴が傾斜面２２ｂやレバー３４で跳ね返って取水部１１よりも前方に飛散することを防止できる。従って、床面の浸水を防止することができる。
【００５１】
フレーム２２の底部には水受皿４０が配される。図１１は取水部１１の底部の詳細を示す側面断面図である。水受皿４０の前面には使用者が把持する把手部４０ａが形成される。フレーム２２は傾斜面２２ｂの下端から後方に凹む凹部２２ｃが形成される。凹部２２ｃの前端には傾斜面２２ｂの下端から後方が上がるように傾斜する下端面を有した係合突起２２ｄが形成される。
【００５２】
水受皿４０は背壁４０ｂが係合突起２２ｄに係合し、凹部２２ｃ内に入り込んでフレーム２２に装着される。この時、水受皿４０の背壁４０ｂは傾斜面２２ｂの下端よりも後方に配される。図１２に示すように、把手部４０ａを把持して上方に回動させると、水受皿４０は係合突起２２ｄとの係合を解除して脱着される。
【００５３】
上記構成の冷蔵庫１において、開閉部材１８を開いて注水口１７から貯水部１４に注水し、開閉部材１８が閉じられる。扉３ａを閉じると貯水部１４内の水が冷却される。図１３に示すように使用者が取水部１１内に配したコップ等の容器Ｃによりレバー３４を押圧すると、ノズル３０とともにバルブ３２が上昇する。これにより、ノズル３０の取水口３０ａから容器Ｃに水タンク１３内の冷水Ｗが供給される。
【００５４】
容器Ｃをレバー３４から離すとバルブ３２が下降して止水される。この時、ノズル３０等に残留する水が取水口３０ａから滴下する。取水口３０ａから滴下する水滴は取水部１１の背面の傾斜面２２ｂやレバー３４に衝突せずに水受皿４０に導かれる。
【００５５】
また、水受皿４０で跳ね返った水滴が傾斜面２２ｂに付着すると傾斜面２２ｂ上を流下して水受皿４０に回収される。この時、凹部２２ｃに装着された水受皿４０の背壁４０ｂは傾斜面２２ｂの下端よりも後方に配される。このため、傾斜面２２ｂを流下する水滴はフレーム２２と水受皿４０との隙間への侵入が防止される。また、係合突起２２ｄの下端面は後方が上がるように傾斜するため、傾斜面２２ｂを流下する水滴を水切りして確実に水受皿４０上に落下させることができる。水受皿４０に溜まった水は水受皿４０を脱着して排水される。
【００５６】
本実施形態によると、水タンク１３の貯水部１４の底面に凹設した凹部１４ｂに着脱自在に嵌合してメッシュ状のメッシュ部２０ａを有した濾過部材２０を設けたので、凹部１４ｂにより濾過部材２０の取付位置を固定して濾過部材２０により貯水内のゴミを捕集することができる。これにより、スリーブ２５とバルブ３２の鍔部３２ａとの間に挟まって止水弁のシール性を損なうゴミを給水口１４ａから流出させず、止水弁を確実に閉じて取水口３０ａからの漏水を防止することができる。また、濾過部材２０を脱着して濾過部材２０や凹部１４ｂの清掃を行うことができ、水タンク１３を清潔に保持することができる。
【００５７】
また、縮径部２５ａを有するスリーブ２５と、縮径部２５ａに内嵌して上方に鍔部３２ａを有するバルブ３２と、縮径部２５ａの上端面と鍔部３２ａの下面との間に配されるＯリング３１とによって止水弁を容易に実現することができる。
【００５８】
また、メッシュ部２０ａの中央部が周縁よりも低いので、メッシュ部２０ａ上にゴミが溜まり、濾過部材２０を脱着して容易にゴミを廃棄することができる。
【００５９】
また、メッシュ部２０ａの周縁からのツマミ部２０ｃの突出量Ｈが凹部１４ｂの深さｄよりも小さいので、誤って濾過部材２０を裏返しに設置した際にメッシュ部２０ａが凹部１４ｂ内に配されるためゴミの流出を防止することができる。
【００６０】
また、給水口１４ａが凹部１４ｂの左右方向の中央部であって前後方向の一方に偏って開口し、ツマミ部２０ｃを前後方向に延びて形成したので、水タンク１３内の水流を案内して乱流を抑制し、均一な給水を行うことができる。
【００６１】
また、濾過部材２０の比重が水よりも大きいので、濾過部材２０の浮揚を防止することができる。
【００６２】
また、取水口３０ａの開口面を後方が下がるように傾斜したので、取水口３０ａの後端から水滴が滴下する。このため、水受皿４０上に滴下した水滴の反射による取水部１１よりも前方への水滴の飛散を低減することができる。また、取水部１１の底面を形成する水受皿４０の扉３ａの前方への突出量を小さくすることができる。これにより、水受皿４０が使用者の邪魔にならず冷蔵庫１の使用性を向上できるとともに、冷蔵庫１の梱包を容易にすることができる。
【００６３】
尚、水受皿４０の底面を後方が下がるように傾斜するとより望ましい。これにより、水受皿４０上に滴下した水滴を取水部１１の背面に向けて反射させることができ、取水部１１よりも前方への水滴の飛散をより確実に防止することができる。
【産業上の利用可能性】
【００６４】
本発明によると、冷水器を備えた冷蔵庫に利用することができる。
【符号の説明】
【００６５】
１    冷蔵庫
２    冷凍室
２ａ、３ａ  扉
３    冷蔵室
３ｄ  発泡断熱材
３ｆ  上壁
１０    冷水器
１１    取水部
１２    給水パイプ
１３    水タンク
１４    貯水部
１４ａ  給水口
１４ｂ  凹部
１５    蓋部
１５ｂ  傾斜面
１５ｃ  溝部
１８    開閉部材
１８ａ  突起部
１９    パイプカバー
２０    濾過部材
２０ａ  メッシュ部
２０ｂ  開口
２０ｃ  ツマミ部
２０ｄ  突起部
２０ｅ  脚部
２１    枠部
２１ｂ、２２ａ、２２ｃ  凹部
２２    フレーム
２２ｂ  傾斜面
２２ｄ  係合突起
２３    レバー保持部
２４    バルブ保持部
２５    スリーブ
２５ａ  縮径部
２６、３１  Ｏリング
２７    前面カバー
３０    ノズル
３０ａ  取水口
３２    バルブ
３３    圧縮バネ
３４    レバー
３５    アーム
４０    水受皿
【図１】
2011012835.tif 000003
【図２】
2011012835.tif 000004
【図３】
2011012835.tif 000005
【図４】
2011012835.tif 000006
【図５】
2011012835.tif 000007
【図６】
2011012835.tif 000008
【図７】
2011012835.tif 000009
【図８】
2011012835.tif 000010
【図９】
2011012835.tif 000011
【図１０】
2011012835.tif 000012
【図１１】
2011012835.tif 000013
【図１２】
2011012835.tif 000014
【図１３】
2011012835.tif 000015